(57)【要約】【課題】携帯機器外部からの衝撃から、携帯機器の筐体内に内蔵された表示部を保護できる携帯機器およびその製造方法を提供する。【解決手段】携帯機器の表示部８の側面および端部を保護部材３で覆い、表示部８は保護部材３を介して筐体内に支持されている。保護部材３は、弾性体２と、弾性体２に内包されている補強材１とから構成されている。【選択図】図１
2010102249.tif 000002
【特許請求の範囲】
【請求項１】
筐体内に内蔵された表示部を有する携帯機器において、前記表示部の側面および端部が保護部材で覆われて、前記表示部は前記筐体内にて前記保護部材を介して支持されており、前記保護部材は、弾性体と前記弾性体に内包されている補強材とから構成されていることを特徴とする、携帯機器。
【請求項２】
前記保護部材は断面形状がコの字型をしており、前記表示部の側面および端部を挟み込んでいることを特徴とする、請求項１に記載の携帯機器。
【請求項３】
前記弾性体は防振ゴムまたはシリコンゴムであることを特徴とする、請求項１または２に記載の携帯機器。
【請求項４】
前記補強材はステンレス鋼であることを特徴とする、請求項１から３のいずれか１項に記載の携帯機器。
【請求項５】
前記表示部は、前記保護部材によって、前記筐体の一部を構成するスクリーンから間隔をおいて配置されていることを特徴とする、請求項１から４のいずれか１項に記載の携帯機器。
【請求項６】
筐体内に内蔵された表示部を有する携帯機器の製造方法において、弾性体と前記弾性体に内包された補強材とから構成された保護部材で、前記表示部の側面および端部を覆い、前記表示部を前記筐体内にて前記保護部材を介して支持することを特徴とする、携帯機器の製造方法。
【請求項７】
前記表示部の端部を前記保護部材によって把持し、前記保護部材を前記筐体内のフレームに固定することを特徴とする、請求項６に記載の携帯機器の製造方法。
【請求項８】
前記筐体の一部を構成するスクリーンを、前記保護部材によって前記表示部から間隔を置いて配置することを特徴とする、請求項６または７に記載の携帯機器の製造方法。
【発明の詳細な説明】
【技術分野】
【０００１】
本発明は携帯機器およびその製造方法に関し、特に液晶や有機ＥＬ（Electro Luminescence）などの発光デバイスを有する携帯機器およびその製造方法に関する。
【背景技術】
【０００２】
携帯電話機、デジタルカメラ、携帯音楽プレーヤー、携帯ゲーム機など、様々な携帯機器が普及している。これらの携帯機器に関しては、高機能化や多機能化が求められるとともに、デザイン性の向上や筐体の薄型化も求められている。携帯機器の高機能化や多機能化は、筐体内部の電子部品の増加をもたらし、筐体の薄型化への要求とは相反することである。そのため、携帯機器の高機能化や多機能化をしつつも、筐体の薄型化を実現するために、筐体の内部に実装される基板等の高密度実装や、筐体の内部の効率的な部品の配置等の様々な研究が進められている。
【０００３】
また、筐体の薄型化は携帯機器自体の強度にも多大な影響を及ぼしている。前述した携帯電話機やデジタルカメラ等の携帯機器は、液晶や有機ＥＬ（Organic EL）などを利用し、文字などの画像を表示する表示部を有している。表示部の表面には、比較的強度の弱い薄いガラス板が配置されているだけなので、筐体外部からの衝撃や変形により、ガラス板が破損して表示部の内部の様々な部材にまで損傷を及ぼすなど、表示部の破損が大きな問題となっている。とりわけガラス端部からの割れが多くなっている。その原因は、製造上、ガラス端部にマイクロクラック等が入りやすいためだと考えられている。
【０００４】
図４に関連技術の一例を示す。ガラスまたは透明樹脂からなるスクリーン１４と外枠１５とで筐体が構成されている。表示部１８は薄板２０を挟んで筐体内のフレーム１６に収納されている。筺体の外部からの衝撃が筺体の内部に伝わりにくくするために、フレームのリブ端部１６ａとスクリーン１４との間にゴムやスポンジのような弾性材料でできたクッション１９を挟んでいる。筺体の外部からの衝撃は、スクリーン１４または外枠１５からクッション１９を介し、フレーム１６に伝播する。そのため、筺体の外部からの衝撃が直接表示部に伝播せず、さらにクッション１９で衝撃を吸収するために、表示部１８が破損しにくくなっている（例えば特許文献１）。
【特許文献１】特開平１１−１２２３３０号公報
【発明の開示】
【発明が解決しようとする課題】
【０００５】
特許文献１の方法では、スクリーン１４に対して垂直方向の衝撃をクッション１９により緩和させることはできる。しかし、スクリーン１４に対して水平方向の衝撃を緩和させることはできない。
【０００６】
また、この方法は、ゴムやスポンジ等の弾性材料をクッション１９として使用するため、衝撃を吸収することができるという長所を持っている。しかし、クッション１９が弾性材料で構成されているために変形しやすいという短所を持ち合わせている。図５に、スクリーン１４の中心付近に衝撃が加わった場合のクッション１９とスクリーン１４の変形する様子を示す。図５（ａ）は力Ａが加わる前の状態である。図５（ａ）に示す状態から、矢印で示す力Ａが加わった状態を図５（ｂ）に示している。図５（ｂ）に示す状態では、スクリーン１４が湾曲してしまい、表示部１８に接触してしまう。図５（ｂ）に示すように、クッション１９があっても、クッション１９は弾性材料であるため、容易に湾曲してしまい、スクリーン１６の中心付近への衝撃から表示部１８を守れない。クッション１９の変形を抑制してスクリーン１６の中心付近の衝撃から表示部１８を守るために、剛性の高い材料をクッション１９として使うと、クッション１９自体に弾性が無くなってしまい、衝撃を吸収することができず、クッション１９が緩衝材の役目を果たすことができない。
【０００７】
本発明の目的は、上述した課題である、携帯機器外部からの衝撃から、携帯機器の筐体内に内蔵された表示部を保護できない、という問題を解決する携帯機器を提供することにある。
【課題を解決するための手段】
【０００８】
本発明の、筐体内に内蔵された表示部を有する携帯機器は、表示部の側面および端部が保護部材で覆われている。この表示部は保護部材を介して筐体内に支持されている。保護部材は、弾性体と弾性体に内包されている補強材とから構成されている。
【発明の効果】
【０００９】
本発明によると、携帯機器の筐体内に内蔵された表示部の側面および端部を、弾性体と弾性体に内包されている補強材で構成された保護部材で覆い、かつ、表示部を保護部材を介して筐体内で支持するため、筐体外部からの衝撃が表示部に伝播しづらくなり、筐体外部からの衝撃から表示部を保護することができる。
【発明を実施するための最良の形態】
【００１０】
以下に、添付の図面に基づき、本発明の実施の形態を説明する。なお、同一の機能を有する構成には添付図面中、同一の番号を付与し、その説明を省略する場合もある。
【００１１】
図１は、本発明に係る表示部を保護した携帯機器の一実施形態の概略構成図を示したものである。
【００１２】
ガラスまたは透明樹脂からなるスクリーン４と外枠５によって筐体が構成されている。筐体内部に、液晶や有機ＥＬなどを用いた表示部８があり、表示部８の側面および端部を断面形状がコの字型をした保護部材３の凹部で覆っている。すなわち、表示部８の端部を保護部材３によって把持している。そして、筐体内部のフレーム６が、表示部８と表示部８の側面を覆っている保護部材３を収納している。保護部材８は、スクリーン４とフレーム６とに当接し、挟まれるように位置している。したがって、表示部８は保護部材３を介してフレーム６に固定されて筐体内にて支持されている。表示部８は、保護部材３によってスクリーン４から間隔を置いて位置している。
【００１３】
本実施形態で使用されている保護部材３の断面図を図２に示す。保護部材３は弾性体２と、補強材１とで構成されており、弾性体２は補強材１を内包している。そのため、保護部材３は、弾性体２のみで構成されたものに比べて同等の弾性を維持し、より高い剛性を有することができる。
【００１４】
表示部８に対して垂直方向からの衝撃がスクリーン４の表示部８の端部に対向する位置付近に加わった場合、保護部材３で表示部８は覆われていて、かつ保護部材３の内部には補強材１があるため、弾性体２のみで構成された保護部材３に比べ、衝撃がより表示部８に伝播しづらくなっている。
【００１５】
表示部８に対して垂直方向からの衝撃がスクリーン４の表示部８の中央に対向する位置付近に加わった場合、図４を参考に上述した関連技術においては、クッション１９が変形してしまい、スクリーン１４が湾曲し、表示部１８を傷つけてしまう場合があった。
【００１６】
一方、本実施形態の携帯機器のスクリーン４の表示部８の中央に対向する位置に、図４と同様に、矢印で示す力Ａが加わった状態を図３に示している。上述した関連技術とは異なり、保護部材３は高い剛性を有するために、変形しづらくなっている。そのため、スクリーン４も湾曲しづらくなり、表示部８を傷つけにくくなっている。
【００１７】
表示部８に対して水平方向からの衝撃がスクリーン４または外枠５に加わる場合においても、保護部材３が補強材１を内包するために、弾性体２で衝撃を緩和させ、さらに補強材１が表示部８への衝撃の伝播を遮断するため、弾性体２のみで構成された保護部材３よりも、表示部８に衝撃が伝播しづらくなっている。
【００１８】
保護部材３に使用する弾性体２は、特に材質の制限はないが、防振ゴムやシリコンゴムが好ましい。さらに、保護部材３に使用する弾性体２を、熱伝導率の高い弾性体２にすることで、表示部８内などから生じる熱を表示部８から外部に逃がすことができ、熱による表示部８の故障も防ぐことができる。
【００１９】
また、補強材１の材質も制限されないが、ＳＵＳ３０４などのステンレス鋼が好ましく、ガラス繊維やカーボン繊維などで代用しても構わない。
【００２０】
図示されている実施形態では、表示部８の全周にわたって端部が保護部材３によって把持されている構成であるが、表示部８の端部の一部のみを保護部材３によって把持する構成にすることもできる。その場合にも、表示部８を保護部材３によってスクリーン４および外枠５から間隔をおいて配置し、表示部８がスクリーン４に直接接触しないようにする。
【００２１】
本発明は、携帯電話機、デジタルカメラ、携帯音楽プレーヤー、携帯ゲーム機のみならず、ＰＤＡやノートパソコンのような表示部が大きい携帯機器に対しても応用することができる。
【００２２】
本発明により、スクリーン４に対して水平および垂直方向からの衝撃を補強材１が遮断するため、表示部８が損傷しづらくなる。さらに、スクリーン４の中央付近に衝撃が加わった場合でも、保護部材３が剛性を有するため、保護部材３は変形しづらくなっており、スクリーン４の変形による表示部８への損傷も抑制できる。また、保護部材３を構成する補強材１は薄板でよいので、保護部材３が携帯機器の薄型化を妨げることはない。そして弾性体２および補強材１は、ともに特殊な材料ではなく、保護部材３も弾性体２に補強材１を内包しただけの複合材なので、携帯機器の大幅な製造コストの増加を招くこともない。
【図面の簡単な説明】
【００２３】
【図１】本発明に係る実施形態の携帯機器の概略構成図である。
【図２】本発明に係る携帯機器に使用する保護部材の概略構成図である。
【図３】本発明に係る携帯機器の外部からスクリーンに衝撃が加わったときの概略図である。
【図４】関連技術の携帯機器の一例の概略構成図である。
【図５】関連技術の携帯機器の外部から衝撃が加わった場合のスクリーンとクッションの状態を示した図であり、（ａ）はスクリーンに衝撃が加わる前の図、（ｂ）はスクリーンに衝撃が加わったときの概略図である。
【符号の説明】
【００２４】
１  補強材
２  弾性体
３  保護部材
４  スクリーン
５  外枠
６  フレーム
７  基板
８  表示部
１４スクリーン
１５外枠
１６フレーム
１６ａフレームのリブ端部
１７基板
１８表示部
１９クッション
【図１】
2010102249.tif 000003
【図２】
2010102249.tif 000004
【図３】
2010102249.tif 000005
【図４】
2010102249.tif 000006
【図５】
2010102249.tif 000007